(57)【要約】      （修正有）【課題】偏平足や外反母趾・内反小指の有無を問わず、現代人一般に増加している骨盤後傾と猫背に起因する疾病や体調不良を予防、改善するスリッパを提供する。【解決手段】爪先部が、第一趾と第二趾を収容する内側爪先部１０ａと第三趾から第五趾までを収容する外側爪先部１０ｂの二股に分かれたスリッパであって、下底１０の下面には、足裏の中足趾節関節の位置を前端、中足部（土踏まず）後端の位置を後端とする接地板１７を設け、さらに、接地板の前端には突出部１７ａを有し、スリッパの装用時には、突出部が下底を上方に押し上げることにより、足裏の第二趾と第三趾の中足趾節関節の間に相当する箇所から足裏軸線方向に沿って後方に縦長の凸部が形成されるとともに、接地板の前端では下底の先端が爪先側に下垂する段差が形成され、後端では下底の後端が踵側に下垂する段差が形成される。【選択図】図１０
0003199282.tif 000002
【実用新案登録請求の範囲】
【請求項１】
爪先部が、第一趾と第二趾を収容する内側爪先部と第三趾から第五趾までを収容する外側爪先部の二股に分かれたスリッパであって、下底の下面には接地片を設けて成り、スリッパの装用時に該接地片が下底を上方に押し上げることにより、下底の足裏の第二趾と第三趾の中足趾節関節の間に相当する箇所から足裏軸線に沿って後方に縦長の凸部が形成されることを特徴とするスリッパ。
【請求項２】
爪先部が、第一趾と第二趾を収容する内側爪先部と第三趾から第五趾までを収容する外側爪先部の二股に分かれたスリッパであって、下底の下面には、足裏の中足趾節関節の位置を前端、中足部（土踏まず）後端の位置を後端とする接地板を設けて成り、スリッパの装用時には、該接地板の前端では下底の先端が爪先側に下垂する段差が形成され、後端では下底の後端が踵側に下垂する段差が形成されることを特徴とするスリッパ。
【請求項３】
前記接地板の前端には突出部を設けて成り、スリッパの装用時に該突出部が下底を上方に押し上げることにより、下底の足裏の第二趾と第三趾の中足趾節関節の間に相当する箇所から足裏軸線方向に沿って後方に縦長の凸部が形成されることを特徴とする、請求項２に記載のスリッパ。
【請求項４】
前記爪先部は、二股に分かれた下底と、先端が外側爪先部と内側爪先部の二股に分かれたハネとから構成したことを特徴とする、請求項１乃至請求項４のいずれかに記載のスリッパ。
【考案の詳細な説明】
【技術分野】
【０００１】
本考案は、主に屋内履きに使用するスリッパに関し、歩行時において、使用者に足の五指を積極的に使うよう促すことにより、身体全体の姿勢を矯正し、以て新陳代謝を改善することのできるスリッパに関する。
【背景技術】
【０００２】
身体の不適正な姿勢が、腰痛、肩凝り、頭痛、内臓の不調等の症状の原因となることが知られている。日常生活で屋外では靴を屋内ではスリッパ等の履物を履いている時間が長い現代人においては、歩行時に足趾をあまり使用しないという実態が、その根本的な原因の一つとなっている。
【０００３】
本来、活動時の人体は骨盤がやや前傾した状態が基本姿勢である。歩行時に脚で前方への推進力を得る際には、足裏の前足部、特に中足骨と趾骨とが屈曲する中足趾節関節（いわゆるＭＰ関節）付近で体重の大半を支持し、次いで足趾のすべてが接地し協調して動くことが自然である。しかし、現代人の多くは、履物により足趾の動きが制約されることに馴化して歩行に足趾をあまり使わなくなっており、その結果、体重が踵に掛かる傾向が生じて、骨盤が後傾しがちとなっている。
【０００４】
骨盤が後傾すると、大腿部の内転筋が活用されにくくなるため、必然的に両脚は内股となって、歩行時には足先が十分に上がらない「摺り足」気味になる。そのため、脹脛のヒラメ筋や太腿から臀部に渡るハムストリング筋群も有効に使われなくなる。その結果、脚部の血流が低調となり、特に女性の場合、足の「冷え」や「むくみ」といった症状の原因となるほか、高齢者の場合、膝痛、股関節痛、腰痛が出るようになる。
【０００５】
また、骨盤後傾によって「猫背」となり、内臓にも影響が出る。全身の筋肉は基本的に表裏一体・左右一対で動くため、背中の筋肉を使わない「猫背」では腹筋群も緩んだ状態となって内臓下垂を生じ、下腹が出てくる原因となる。さらに「猫背」の状態では、呼吸のための筋肉である横隔膜も緩んだ状態となって呼吸が常時浅くなるため、新陳代謝が低下し、様々な体調不良の原因ともなる。かかる「猫背」の弊害は、近年のスマホ等の普及により、一層低年齢化している。
【０００６】
骨盤後傾の問題を無理なく解決するためには、足趾を積極的な使用を促すことが効果的である。図１の足骨の骨格図に示す如く、人間の足趾は、第一趾（拇趾）と第二から第四趾の４つの指とでは趾骨の個数が違い、構造が異なる。そのため、第一趾とその他の指の動きは連携しにくく、特に「内股」状態では、第二趾から第四趾の動きは一体となって低調となりがちである。一方、骨盤が後傾して内股傾向にある人間の場合、体重は踵のほか、五指のうち第一趾に掛かりがちとなっており、歩行時には第一趾は活発に動くことになる。
【０００７】
通常の靴やスリッパ等の履物は５本の足趾が爪先部で収束されるため、足趾の動きは制約される。これに対して、特許文献１や２の如く、爪先が二股に分かれた構造を有し、足趾の動きの自由度を高めた靴が提案されている。
【特許文献１】特開平２−６８００１号公報
【特許文献２】実開平６−８４９０２号公報
【０００８】
しかし、これらの先行技術は、第一趾と第二趾との間で爪先が二股に分かれる構造であり、第一趾の動きの自由度は高まるものの、残りの第二趾から第五趾までの４本の指は束ねられたままである点は従前の一般的な履物と変わりはない。そのため、前述のような内股傾向は改善されず、骨盤後傾と猫背に起因する症状の改善や予防の効果はあまり期待できない。
【０００９】
また、屋内履きとして使用されるスリッパは、屋外用の靴等に比べて爪先の締め付けは比較的小さく足趾の動きの自由度の制約も少ないが、下底は一般的に平板な形状であり、足趾の積極的な使用を促す効果は有しない。
【考案の開示】
【考案が解決しようとする課題】
【００１０】
本願考案に係るスリッパは、先行技術のかかる問題を解決し、日常生活の中で屋内履きとして使用することで、偏平足や外反母趾・内反小指の有無を問わず、現代人一般に増加している骨盤後傾と猫背に起因する疾病や体調不良を予防、改善することを課題とする。
【課題を解決するための手段】
【００１１】
前記の課題を解決するために、本願考案の請求項１に記載したスリッパは、爪先部が、第一趾と第二趾を収容する内側爪先部と第三趾から第五趾までを収容する外側爪先部の二股に分かれ、さらに、下底の下面には接地片を設けて成り、スリッパの装用時に該接地片が下底を上方に押し上げることにより、下底の足裏の第二趾と第三趾の中足趾節関節の間に相当する箇所から足裏軸線に沿って後方に縦長の凸部が形成されることを特徴とする。
【００１２】
かかる構成では、爪先部が第一趾（拇趾）と第二趾とを収容する内側爪先部と、第三趾から第五趾（小趾）までを収容する外側爪先部との二股構造としているため、内側爪先部内の第一趾とともに第二趾が積極的に動くこととなる。これにより、第三趾から第四趾も第二趾の動きにつられて活発化し、必然的に足の五指すべてを使う状態が促される。
【００１３】
また、内側、外側のそれぞれの爪先部により第一趾と第二趾、及び第三趾から第五趾がそれぞれ束ねられて動くため、通常の状態ではひとまとめでしか動かない第二趾から第四趾の、特に第二趾と第三趾が別々に動くこととなり、使用者に足趾の一つ一つを意識するように促し、足趾を積極的に使用するように仕向けることができる。
【００１４】
さらに、本願考案に係るスリッパは、下底の下面には接地片を設け、スリッパの装用時に該接地片が下底を上方に押し上げることにより、下底の足裏の第二趾と第三趾の中足趾節関節の間に相当する箇所から足裏軸線に沿って後方に縦長の凸部が形成されるよう構成しているため、使用者が起立又は歩行する際には、該凸部によって第二趾と第三趾の付け根の中足趾節関節が押し上げられる。
【００１５】
人体には多種の反射が備わっているが、その機能からは、自律神経系を介して内臓筋を収縮させたり腺の分泌を促進したりする内臓反射（自律神経反射）と、骨格筋を収縮させる体性反射とに大別される。木槌で膝蓋腱を叩くと下腿が跳ね上がる膝蓋腱反射は代表的な体性反射の一つであるが、人体の足部は中足趾節関節を押し上げられる刺戟を受けることにより無意識に足趾を丸める体性反射を示すことが医学的・経験的に知られている。本考案に係るスリッパは、前記凸部で中足趾節関節を押し上げることで生じる足趾の体性反射を利用して使用者に足趾を丸めさせ、歩行中の足趾の積極的な使用を促すことを目的とするものである。また、第二趾と第三趾の付け根が押し上げられることにより、５本の足趾は正面から見て第二趾と第三趾の股の位置を頂点とした緩やかなアーチを描き、爪先部を二股形状としていることと相俟って、特に、第五趾が下底表面に押付けられる形となる。
【００１６】
第五趾（小指）は本来、人間の起立時・歩行時の身体のバランスを制御する上で重要な役割を果たすものであるが、内股気味の姿勢では無意識のうちに第五趾が浮き上がりがちとなり、前述のように骨盤後傾や猫背を生じ易くなる。本願考案のかかる構成は、第五趾を積極的に接地させて使用するように促すことにより、身体の姿勢全般の改善を図るものである。
【００１７】
次に、請求項２に記載した考案は、爪先部を、第一趾と第二趾を収容する内側爪先部と第三趾から第五趾までを収容する外側爪先部の二股構造とした構成は請求項１に記載の考案と同様であるが、下底の下面に足裏の中足趾節関節の位置を前端、中足部（土踏まず）後端の位置を後端とする接地板を設けているため、スリッパの装用時には、該接地板の前端では下底の先端が爪先側に下垂する段差（以下「爪先側段差」という。）が形成され、後端では下底の後端が踵側に下垂する段差（以下「踵側段差」という。）が形成されることを特徴とする。
【００１８】
かかる構成によれば、スリッパの装用時には、使用者の足趾は爪先側段差により自然に丸められるとともに、踵が踵側段差により下垂することにより中足部（土踏まず）が押し上げられる形となる。そのため、足裏の前後方向のアーチ形状が整えられる。これにより、使用者は歩行中に足趾の先が下底上面を掴むような状態になり、足趾の使用が意識されるようになる。
【００１９】
次に、請求項３に記載した考案は、請求項２に記載した考案において、さらに前記接地板の前端に請求項１に記載した考案における接地片に相当する突出部を設けており、スリッパの装用時に該突出部が下底を上方に押し上げることにより、下底の足裏の第二趾と第三趾の中足趾節関節の間に相当する箇所から足裏軸線方向に沿って後方に、請求項１に記載の考案におけるものと同様の縦長の凸部が形成されることを特徴とする。
【００２０】
かかる構成により、請求項２に記載のスリッパの構成による足趾と踵を下垂させる効果に加えて、さらに請求項１に記載のスリッパの構成による中足趾節関節の押し上げによる体性反射の効果が相乗的に働き、使用者に足趾を丸めさせて、足趾の先が下底上面を掴むような状態にする効果がより一層発揮される。
【００２１】
最後に請求項４に記載した考案は、請求項１乃至請求項３のいずれかに記載したスリッパであって、前記爪先部は、二股に分かれた下底と、先端が外側爪先部と内側爪先部の二股に分かれたハネとから構成したことを特徴とする。
【００２２】
爪先部の構成は、下底の形状を通常のスリッパと同様としたまま、ハネの形状のみ二股にしても良いが、下底自体も二股構造とすれば前述した第二趾と第三趾とが別々に動かすことの自由度が高まるだけでなく、前記凸部で中足趾節関節を押し上げることによる体性反射の効果も高められる。
【考案の効果】
【００２３】
本考案に係るスリッパは、使用者に足趾を使用させるように促すことのみによって自然に骨盤後傾を改善し、姿勢の矯正、筋力の維持、新陳代謝の向上を図る効果を有する。具体的には、二股の爪先部によって足趾の第一趾と第二趾の動きを強制的に同期させて５本の足趾の動き全体の協調を図るとともに、下底上面に形成される段差や凸部が足趾を無意識に丸めさせる体性反射により、すべての足指で下底上面を掴むような形となり、特に、第五趾を接地させて積極的な使用を促す。また、下底の中足趾節関節と土踏まず後端が当接する箇所に形成される段差により、足趾を丸めさせる効果がさらに高まる。
【００２４】
そのため、本考案に係るスリッパを装用することにより、屋内でも積極的に足趾の力が強化され、歩行時や運動時における身体の重心軸の保持能力が高まるので、特に筋力の低下した高齢者等の転倒事故の防止にも繋がるという効果が期待できる。
【考案を実施するための最良の形態】
【００２５】
以下、本考案の実施形態について図を用いて説明する。図２は本考案に係るスリッパの斜視図であり、図３は平面図である。
【００２６】
（第一実施形態）
図４乃至図９は第一の実施形態に係るスリッパの図であり、図４は底面図、図５は正面図、図６は背面図である。また、図７はＡ−Ａにおける断面図、図８はＢ−Ｂにおける断面図、図９は使用者が装用した状態でのA−Aにおける断面図である。なお、図示したスリッパは右足用である。
【００２７】
スリッパ１は、上面をクッション１１で覆った下底１０と足の甲部を覆うハネ１２とから構成し、爪先部は間隙１３により内側爪先部１２ａと外側爪先部１２ｂの二股に分かれている。下底１０の材質は、可撓性と弾力性を備えたウレタン等が好適である。なお、図示したスリッパ１は、クッション１１をハネ１２で包み込む形に縫製した「吊込（つりこみ）型」であるが、ハネ１２を下底１０の外縁に直接縫い付ける「外縫（そとぬい）型」としても良い。両爪先部１２ａ、１２ｂは、下底１０の爪先部も内側爪先部１０ａと外側爪先部１０ｂから成る二股形状としており、装用時には、内側爪先部１２ａに第一趾と第二趾を、外側爪先部１２ｂに第三趾から第五趾までをそれぞれ挿入する。また、図６の背面図に示すように、ハネ１２の爪先部の内部には、間隙１３の最奥端が鼻緒部１４となっている。かかる構成により、通常の状態ではひとまとめでしか動かない第二趾から第四趾の、特に第二趾と第三趾とが別々に動くこととなり、使用者は足趾の一つ一つを意識するように促されて、自然と足趾を積極的に使用するようになるのである。
【００２８】
また、図４及び図７に示す如く、下底１０の下面には、足裏の第二趾と第三趾の中足趾節関節の間が当接する箇所に接地片１５を貼付してある。そのため、スリッパの装用時には図８及び９に示す如く、下底１０が接地片１５によって押し上げられ、クッション１０には、接地片１５に相当する位置に足裏軸線方向に沿って縦長に盛り上げられた凸部１６が構成される。接地片１５は、軸線横断面を蒲鉾型とした楕円形又は涙的形とし、材質はクッション１０よりも硬質のウレタン材が好適である。かかる構成により、装用時には、凸部１６によって第二趾と第三趾の付け根の中足趾節関節が押し上げられるため、図８に示す如く、５本の足趾は正面から見て第二趾と第三趾の股の位置を頂点とした緩やかなアーチを描く。また、係る凸部１６と二股形状とした爪先部により、第二趾と第三趾との間が強制的に開かれる。これにより、前述した足の五指すべてを積極的に使う状態がより一層促され、特に、第五趾がより強く下底表面に押付けられる形となる。
【００２９】
（第二実施形態）
図１０乃至図１４は、本考案の第二の実施形態に係るスリッパの図である。図１０は、その底面図、図１１は正面図、図１２はＣ−Ｃにおける断面図、図１３はＤ−Ｄにおける断面図である。また、図１４は使用者が装用した状態でのＣ−Ｃにおける断面図である。      
【００３０】
本実施形態では、下底１０の下面には、足裏の中足趾節関節の位置を前端、中足部（土踏まず）後端の位置を後端とする接地板１７を設けており、しかも、該接地板の前端には第一の実施形態における接地片に相当する突出部１７aを設けているため、クッション１１には凸部１６と同様の凸部１８が形成される。また、装用時に下底に使用者の体重がかかると、接地板１７全体が下底１０にめり込むため、下底１０の前端には爪先側段差１９a、後端には踵側段差１９ｂが生じる。
【００３１】
以上、本考案の実施形態について図面を参照しつつ説明したが、本考案は、必ずしも上述した構成にのみ限定されるものではなく、本考案の目的を達成し、効果を有する範囲内において、適宜変更実施することが可能なものであり、本考案の技術的思想の範囲内に属する限り、それらは本考案の技術的範囲に属する。また、本考案の構成は、屋内履きのスリッパに限らず、外履用のサンダルにも適用可能である。
【産業上の利用可能性】
【００３２】
本考案に係るスリッパは、日常生活で通常のスリッパに代えて常用することにより、自然に足趾の使用を促して骨盤後傾を改善できるため、不適切な姿勢による各種疾患や体調不良の予防に利用できる。
【図面の簡単な説明】
【００３３】
【図１】足骨の骨格図である。
【図２】本考案に係るスリッパの斜視図である。
【図３】本考案に係るスリッパの平面図である。
【図４】第一実施形態に係るスリッパの底面図である。
【図５】第一実施形態に係るスリッパの正面図である。
【図６】第一実施形態に係るスリッパの背面図である。
【図７】第一実施形態に係るスリッパのＡ−Ａにおける略断面図である。
【図８】第一実施形態に係るスリッパのＢ−Ｂにおける略断面図である。
【図９】第一実施形態に係るスリッパの装用時のＡ−Ａにおける略断面図である。
【図１０】第二実施形態に係るスリッパの底面図である。
【図１１】第二実施形態に係るスリッパの正面図である。
【図１２】第二実施形態に係るスリッパのＣ−Ｃにおける略断面図である。
【図１３】第二実施形態に係るスリッパのＤ−Ｄにおける略断面図である。
【図１４】第二実施形態に係るスリッパの装用時のＣ−Ｃにおける略断面図である。
【符号の説明】
【００３４】
１           スリッパ
１０    下底
１０ａ  内側爪先部（下底）
１０ｂ  外側爪先部（下底）
１１       クッション
１２       ハネ
１２ａ  内側爪先部（ハネ）
１２ｂ  外側爪先部（ハネ）
１３       間隙
１４    鼻緒部
１５    接地片
１６    凸部（第一実施形態）
１７    接地板（第二実施形態）
１７ａ  突出部
１７ｂ  板部
１８    凸部（第二実施形態）
１９a  爪先側段差
１９b  踵側段差
【図１】
0003199282.tif 000003
【図２】
0003199282.tif 000004
【図３】
0003199282.tif 000005
【図４】
0003199282.tif 000006
【図５】
0003199282.tif 000007
【図６】
0003199282.tif 000008
【図７】
0003199282.tif 000009
【図８】
0003199282.tif 000010
【図９】
0003199282.tif 000011
【図１０】
0003199282.tif 000012
【図１１】
0003199282.tif 000013
【図１２】
0003199282.tif 000014
【図１３】
0003199282.tif 000015
【図１４】
0003199282.tif 000016